(57)【特許請求の範囲】
【請求項１】
監視カメラにより撮影した映像を基に周囲状況を監視する監視カメラ装置において、前記監視カメラのレンズがズーム量の最大と最小の端点に到達したときに、ストッパに衝突することにより停止するキャリッジと、前記監視カメラのレンズが前記ズーム量の最大と最小の端点に到達した回数を計数する計数手段と、前記計数手段の計数を記録する不揮発性メモリとを備えたことを特徴とする監視カメラ装置。
【発明の詳細な説明】
【０００１】
【発明の属する技術分野】
本発明は、監視カメラを通じて周囲状況を監視する監視カメラ装置に関する。
【０００２】
【従来の技術】
監視カメラ装置は、銀行や店舗、遊戯場、デパート、ならびに貴重品を展示している博物館や絵画館等において、主に防犯用として利用されているが、高層ビルなどでは、安全確認または災害防止用としても用いられている。監視カメラ装置は、ＣＣＤを内蔵したカメラを、屋外または屋内の所定位置に取り付け、このカメラで撮影した映像を管理人室のモニタテレビで映しながら監視を行うのが一般的である。カメラによる定点観測では、カメラを一方向に向けて固定するが、１台のカメラで周囲を観測する場合は、カメラを水平方向に旋回させるパン動作や、垂直方向に旋回させるチルト動作を行わせるための機構を備えている。さらに、カメラにズーム機構を取り付けて、必要に応じて映像を拡大できる装置もある。また、撮影した映像をビデオテープ等に記録しておき、後から映像をモニタ上で再現できる装置もある。
【０００３】
【発明が解決しようとする課題】
しかしながら、従来の監視カメラ装置では、同じ構造および同じ仕様の装置であっても、利用者によって使い方が異なるため、故障が発生した場合にその原因を特定することが困難であった。例えば、Ａ社とＢ社では、同じ監視カメラ装置を使用し、ほぼ同様な使用環境にあるにも拘らず、故障の発生確率がＡ社とＢ社とでは異なる場合、その原因を特定することが難しかった。
【０００４】
本発明は、このような従来の問題を解決するものであり、故障の原因を容易に特定し、メインテナンス性能を高めることのできる監視カメラ装置を提供することを目的とする。
【０００５】
【課題を解決するための手段】
本発明は、上記目的を達成するために、監視カメラ装置に電源投入後の動作履歴を記録する不揮発性メモリを設け、この不揮発性メモリに記録された内容を分析することにより、故障の発生原因を特定するようにしたものであり、メインテナンス性能を高めることができる。
【０００６】
【発明の実施の形態】
本発明の請求項１に記載の発明は、監視カメラにより撮影した映像を基に周囲状況を監視する監視カメラ装置において、前記監視カメラのレンズがズーム量の最大と最小の端点に到達したときに、ストッパに衝突することにより停止するキャリッジと、前記監視カメラのレンズが前記ズーム量の最大と最小の端点に到達した回数を計数する計数手段と、前記計数手段の計数を記録する不揮発性メモリとを備えたことを特徴とする監視カメラ装置であり、所定時間毎にカメラレンズ機械運動機構部の端点到来回数を記録することにより、レンズ動作の不具合が発生した場合の故障原因の特定を容易に行えるという作用を有する。
【００１４】
（実施の形態１）
以下、本発明の実施の形態を図面を参照して説明する。図１は本発明の実施の形態における監視カメラ装置の概略構成を示すブロック図である。図１において、１は監視員が滞在するモニタ室に配置されたコントローラとの間で制御信号の授受を行う通信制御部、２はコントローラから電源の供給を受けて監視カメラ装置内の各部に供給する電源部、３は撮像部１５からの信号を受けて、コントローラに接続されたモニタテレビに映像を映したり、ＶＴＲに録画するための映像信号を送出する映像信号処理部である。制御信号および映像信号は１本のケーブルに重畳され、さらに電源も同じケーブルに重畳される場合もある。４は監視カメラ装置を動作させるプログラムを格納したＥＰＲＯＭ、５は電源投入後の動作履歴、その他のデータを記録するＥＥＰＲＯＭである。ＥＰＲＯＭ４およびＥＥＰＲＯＭ５は共に不揮発性メモリであり、ＥＰＲＯＭ４は紫外線の照射によりデータの消去ができ、再度の書き込みが可能であり、ＥＥＰＲＯＭ５は電気的にデータの消去ができるので、データの書き換えが容易である。６はセンサ制御部であり、装置内の温度や湿度を検出する温度センサや湿度センサ、ドアや窓の開閉を検出するセンサ、人物を検出するセンサ等の各種のセンサ７からの信号を検出する。８はパンモータ制御部であり、監視カメラを水平方向に旋回させるためのパンモータ９の回転を制御する。１０はチルトモータ制御部であり、監視カメラを垂直方向に旋回させるためのチルトモータ１１の回転を制御する。１２はレンズモータ制御部であり、監視カメラのレンズモータ１３の回転を制御してズームやオートフォーカスを制御する。１４はＣＣＤ制御部であり、撮像部１５におけるＣＣＤの駆動を制御する。１６はカウンタであり、実動作時間や動作不具合の発生回数を計数するカウンタを備えている。１７はマイクロプロセッサ（以下マイコンという）であり、装置全体を制御する。
【００１５】
次に、本発明の実施の形態１における動作について説明する。装置を動作させる前に、ユーザによりモニタ室にあるコントローラからプリセットが行われる。これは、ユーザが監視対象を特定するために、撮像部１５をどの方向に向けるかを予め設定するのものであり、例えば室内にあるドアと窓を順番に監視するようにカメラの回転角度を設定する。そして、電源部２から各部に電源が供給されると、コントローラからのプリセット信号は、通信制御部１に送られ、マイコン１７は、ＥＥＰＲＯＭ５の所定領域に書き込む。各部が作動して撮像部１３による撮影が開始されると、マイコン１７がカウンタ１６に実動作時間の計測を開始させる。カウンタ１６による計測は、１時間の内に何分間動作したか、または１日の内に何時間動作したかを計数するものである。計数された実動作時間は、ＥＥＰＲＯＭ５の所定領域に格納される。
【００１６】
一方、装置の動作が開始されると、マイコン１７は、ＥＰＲＯＭ４から動作プログラムを読み出し、ＥＥＰＲＯＭ５から詠み出されたプリセット内容に従って各部を制御するとともに、プリセットされた動作の回数および時間を１時間毎または１日毎にカウンタ１６に計数させ、その結果をＥＥＰＲＯＭ５に書き込む。またはプリセット動作の回数および時間を連続して加算し、ＥＥＰＲＯＭ５に記録する。
【００１７】
このように、本実施の形態１によれば、監視カメラ装置の電源投入後の実動作時間を計数したり、プリセット動作回数およびまたはプリセット動作時間を記録しておくことにより、万一故障が発生した場合に、ＥＥＰＲＯＭ５に記録された内容を分析することにより、ユーザ独自の使い方を把握することができ、故障に対する迅速な対応または修復を図ることができる。
【００１８】
（実施の形態２）
次に、本発明の実施の形態２について説明する。本実施の形態においては、ユーザによりモニタ室にあるコントローラから予め設定した動作不具合項目が入力され、その不具合項目が通信制御部１を通ってＥＥＰＲＯＭ５に書き込まれる。動作不具合項目とは、例えばパンモータ制御部８とパンモータ９との間、およびチルトモータ制御部１０とチルトモータ１１との間の信号授受不良、例えば回転信号を送っても回転せず、再び回転信号を送る場合等の信号再送である。マイコン１７は、このような信号授受不良を、パンモータ制御部８およびチルトモータ制御部１０から受信すると、その発生回数および最新に信号授受不良を起こしたのはどちらかをＥＥＰＲＯＭ５に記録する。
【００１９】
このように、本実施の形態２によれば、予め設定した動作不具合項目別に発生した動作不具合の発生回数および最新の動作不具合項目を記録しておくことにより、万一故障が発生した場合に、ＥＥＰＲＯＭ５に記録された内容を分析することにより、故障の原因を容易に把握することができ、故障に対する迅速な対応または修復を図ることができる。
【００２０】
（実施の形態３）
次に、本発明の実施の形態３について説明する。本実施の形態３では、例えばレンズモータ制御部１２によりレンズモータ１３を制御してズームを行わせる際に、レンズは広角から望遠までの範囲を直線往復運動するが、ズーム量の最大と最小の端点では、レンズを搭載したキャリッジがストッパにぶつかることになり、その衝撃で故障が発生する確率が高くなる。そこで、レンズがズーム量の最大と最小の端点に到達した回数の累計を、レンズモータ制御部１２がそのようなズーム信号を送った回数を計数することにより、または端点に設けられたリミットスイッチからの信号を計数することにより、レンズの動作不具合が発生した場合の特定を容易に行うことができる。
【００２１】
（実施の形態４）
次に、本発明の実施の形態４について説明する。本実施の形態４では、通信制御部１における通信ログの内容をＥＥＰＲＯＭ５に記録するものであり、通信ログにおけるコマンドやデータ、時刻、アラーム等の信号を記録することにより、故障した際の原因特定を容易に行うことができる。
【００２２】
（実施の形態５）
次に、本発明の実施の形態５について説明する。本実施の形態５では、センサ７における温度センサおよび湿度センサからの温度および湿度を表す信号をＥＥＰＲＯＭ５に記録しておくことにより、万一故障が発生した場合に、温度および湿度が異常に高い場合には、それを故障の原因の一つとして特定することができる。
【００２３】
【発明の効果】
以上のように、本発明によれば、監視カメラのレンズがズーム量の最大と最小の端点に到達した回数を不揮発性メモリに記録することにより、レンズ動作の不具合が発生した場合には、この不揮発性メモリに記録された内容を分析することにより、故障原因の特定を容易に行えるという効果を有する。
【図面の簡単な説明】
【図１】本発明の実施の形態における監視カメラ装置の概略構成を示すブロック図
【符号の説明】
１  通信制御部
２  電源部
３  映像信号処理部
４  ＥＰＲＯＭ
５  ＥＥＰＲＯＭ
６  センサ制御部
７  センサ
８  パンモータ制御部
９  パンモータ
１０  チルトモータ制御部
１１  チルトモータ
１２  レンズモータ制御部
１３  レンズモータ
１４  ＣＣＤ制御部
１５  撮像部
１６  カウンタ
１７  マイクロプロセッサ
【図１】
0003681543.tif 000002